(57)【特許請求の範囲】
【請求項１】
第１及び第２の支持部材（１２、１４）を具備し、前記第１及び第２の支持部材は、相互連結され、
少なくとも１つの中空管（２０）を具備し、前記中空管は、両端（２２、２４）の近くに１対の開口（２６、２８）を有し、前記開口（２６、２８）は、前記支持部材の内側に、又は外側に位置され、
第１及び第２のストリング（３４、３６）を具備し、前記第１のストリング（３４）は、前記中空管の第１の端部にある前記開口（２６、２８）を通って延び、前記第２のストリング（３６）は、前記中空管の第２の端部にある前記開口（２６、２８）を通って延び、
前記中空管（２０）の両側で前記第１及び第２の支持部材（１２、１４）の各々に位置された複数の支持要素（３０）を具備し、前記第１及び第２のストリング（３４、３６）は、前記複数の支持要素（３０）によって支持され、前記複数の支持要素（３０）によって支持された前記第１及び第２のストリング（３４、３６）は、それぞれ、前記第１及び第２の支持部材（１２、１４）に対して一直線状になっておらず、前記中空管（２０）は、前記第１及び第２のストリング（３４、３６）によって前記支持部材の上に懸吊されるように構成されている、打楽器（１０）。
【請求項２】
複数の平行な中空管を有し、前記中空管（２０）の前記開口（２６、２８）は、前記支持部材（１２、１４）の内側に位置されている、請求項１に記載の打楽器。
【請求項３】
前記ストリング（３４、３６）を張ったり緩めたりするための少なくとも１つの部材（３８）をさらに具備する、請求項２に記載の打楽器。
【請求項４】
前記ストリングを張ったり緩めたりするための前記部材は、ギターキー（３８）を有する、請求項３に記載の打楽器。
【請求項５】
各ストリングは、それぞれのストリングを張ったり緩めたりするための個別のギターキーを有する、請求項４に記載の打楽器。
【請求項６】
各ストリング（３４、３６）は、その両端に位置されたギターキー（３８、４０、４２、４４）を有する、請求項５に記載の打楽器。
【請求項７】
前記開口及び前記支持要素は、前記ストリング（３４、３６）がそれぞれの支持要素（３０）に対して３０°ないし１１０°の角度を形成して前記支持要素に支持されるように位置されている、請求項１に記載の打楽器。
【請求項８】
前記ストリング（３４、３６）は、それぞれの支持要素（３０）に対して８０°ないし９０°の角度を形成して前記支持要素に支持されている、請求項７に記載の打楽器。
【請求項９】
前記第１及び第２の支持部材（１２、１４）を相互連結する第１及び第２の横断部材（１６、１８）を有する、請求項２に記載の打楽器。
【請求項１０】
前記支持部材（１２、１４）のそれぞれの端部に位置され、それぞれの端部に接続された第１及び第２の横断部材（１６、１８）をさらに具備し、前記中空管（２０）は、前記第１及び第２の横断部材（１６、１８）の中間に位置されている、請求項２に記載の打楽器。
【請求項１１】
前記中空管（２０）は、前記支持部材（１２、１４）に向かうように、及び前記支持部材（１２、１４）から離れるように移動可能である、請求項２に記載の打楽器。
【請求項１２】
前記複数の支持要素（３０）の各々が、その中に開口（３２）を有し、前記ストリングは、前記支持要素の前記開口を貫通している、請求項２に記載の打楽器。
【請求項１３】
前記ストリング（３４、３６）は、プラスチックのストリングから形成されている、請求項２に記載の打楽器。
【請求項１４】
前記中空管（２０）は、二酸化ケイ素材料から形成されている、請求項２に記載の打楽器。
【請求項１５】
第１及び第２の支持部材（１２、１４）を具備し、前記第１及び第２の支持部材は、相互連結され、
複数の中空管（２０）を具備し、前記中空管の全ては、平行であり、前記中空管の全てが、両端（２２、２４）の近くに１対の開口（２６、２８）を有し、前記開口は、前記支持部材の内側に、又は外側に位置され、
第１及び第２のストリング（３４、３６）を具備し、前記第１のストリング（３４）は、前記中空管の第１の端部にある前記開口（２６、２８）を通って延び、前記第２のストリング（３６）は、前記中空管の第２の端部にある前記開口（２６、２８）を通って延び、
前記中空管（２０）の中間において前記第１及び第２の支持部材（１２、１４）の各々に位置された複数の支持要素（３０）を具備し、前記第１及び第２のストリング（３４、３６）は、前記複数の支持要素（３０）によって支持され、前記複数の支持要素（３０）によって支持された前記第１及び第２のストリング（３４、３６）は、それぞれ、前記第１及び第２の支持部材（１２、１４）に対して一直線状になっておらず、前記中空管（２０）は、前記第１及び第２のストリング（３４、３６）によって前記支持部材の上に懸吊されるように構成され、
前記中空管を叩くための少なくとも１つの器具を具備する、打楽器（１０）の組合せ。
【請求項１６】
前記器具は、手持ちバチ（５６）であり、前記手持ちバチ（５６）は、拡大したバチ端部（６４）を有する、請求項１５に記載の組合せ。
【請求項１７】
前記手持ちバチ（５６）は、８０Ａと９０Ａとの間のショーア硬度を有する高分子材料から形成されている、請求項１６に記載の組合せ。
【請求項１８】
前記材料は、約８５Ａのショーア硬度を有するポリウレタンである、請求項１７に記載の組合せ。
【請求項１９】
前記中空管を叩くための前記器具は、少なくとも１つのフィンガータッパー（６６）を有し、前記フィンガータッパーは、高分子材料から形成され、前記フィンガータッパーは、ユーザの指を受けるための凹部（６８）を有する、請求項１５に記載の組合せ。
【請求項２０】
第１及び第２の支持部材（１２、１４）を具備し、前記第１及び第２の支持部材は、相互連結され、
少なくとも１つの中空管（２０）を具備し、前記中空管は、両端（２２、２４）の近くに１対の開口（２６、２８）を有し、前記開口は、前記支持部材の内側に、又は外側に位置され、
第１及び第２のストリング（３４、３６）を具備し、前記第１のストリング（３４）は、前記中空管の第１の端部にある前記開口（２６、２８）を通って延び、前記第２のストリング（３６）は、前記中空管の第２の端部にある前記開口（２６、２８）を通って延び、
前記中空管（２０）の両側で前記第１及び第２の支持部材（１２、１４）の各々に位置された複数の支持要素（３０）を具備し、前記第１及び第２のストリング（３４、３６）は、前記複数の支持要素（３０）によって支持され、前記複数の支持要素（３０）によって支持された前記第１及び第２のストリング（３４、３６）は、それぞれ、前記第１及び第２の支持部材（１２、１４）に対して一直線状になっておらず、前記中空管は、前記第１及び第２のストリング（３４、３６）によって前記支持部材の上に懸吊されるように構成され、
前記第１及び第２のストリングにかかる張力を調節するための少なくとも１つの部材（３８）を具備する打楽器（１０）。
【発明の詳細な説明】
【技術分野】
【０００１】
本発明は、楽器に、特に、直接叩く体鳴楽器として、及び、摩擦式の体鳴楽器としての両方に下位分類されることができるピッチ打楽器である体鳴楽器に関する。直接叩く体鳴楽器の一例は、木琴である。摩擦式の体鳴楽器の一例は、グラスハーモニカである。摩擦式の体鳴楽器の他の例は、ベロフォーンである。
【背景技術】
【０００２】
木琴は、紀元前２０００年頃の中国を起源とすると考えられている。我々が今日知っている木琴は、まず、９世紀頃東アジアに出現し、１６世紀までにこれらはヨーロッパに達した。これらは木製の打楽器として知られている。木琴の使用は発展してきており、これらはオーケストラの打楽器セクションで通例使用される。
【０００３】
グラスハーモニカは、１７６１年にベンジャミン・フランクリンによって発明された一種の楽器である。グラスハーモニカは、サイズが次第に変化する一連のガラスボール又はゴフレットを使用し、摩擦によって音調を発生させる。音調を発生させるためにワインゴブレットの縁のまわりを濡れた指で擦る現象は、ルネサンス時代に文書化されている。縁のまわりを指で擦るガラス容器からなる楽器は、１７４０年代にさかのぼる。フランクリンのグラスハーモニカは、ガラス吹き職人及び音楽家であるゲアハルト・Ｂ・フィンケンバイナー）によって新たに作り直された。マサチューセッツのウォルサムのフィンケンバイナー社は、これらの楽器を商業用に制作し続け、これらは現在多数の現代音楽家によって使用されている。
【０００４】
ベロフォーンは、サッシャ・レッカートによって１９８３年に発明された楽器であり、さまざまなサイズ（通常、パイプオルガンのパイプのように、大きいものから小さいものまで半音階スケールで配置されている）の開口端部ガラス管が配置される。音は、１以上のガラス管の一端部を擦ることによって出される。１つ以上を同時に擦ることによって弦が演奏されることができるように、管は互いに接近している。楽器は、グラスハーモニカ及び他のグラス楽器よりも音量があり、また、一般にＧ３〜Ｃ６からの範囲を有する。
【発明の概要】
【０００５】
本発明は、ピッチ打楽器である体鳴楽器のタイプの新しい楽器を提供することを目的とする。
【０００６】
本発明の一態様によれば、打楽器が提供され、打楽器は、第１及び第２の支持部材を具備し、前記第１及び第２の支持部材は、相互連結され、複数の中空管を具備し、前記管の全ては、平行であり、前記管の全てが、両端に１対の開口を有し、第１及び第２のストリングを具備し、前記第１のストリングは、前記管の第１の端部にある前記開口を通って延び、前記第２のストリングは、前記管の第２の端部にある前記開口を通って延び、前記中空管の中間において前記第１及び第２の支持部材の各々に位置された複数のピンを具備し、前記第１及び第２のストリングは、前記複数のピンによって支持され、前記中空管は、前記第１及び第２のストリングによって前記支持部材の上に保持されるように構成されている。
【０００７】
１対の支持部材が言及されるが、これはＵ字形部材などの当然に一体のフレームを含むことが理解される。
【０００８】
本発明のピッチ打楽器である体鳴楽器は、上に述べられたように、少なくとも１つの、好ましくは複数の中空管を有し、前記中空管は、マレット又はバトンによって叩かれるように設計されている。中空管の振動は、ピン及びストリングによる張力下でこれらが懸吊されるようになっていることにより、独特の音を発生させる。本発明のより小さなバージョンは、１本の管のみからなることができる。本発明のより大きなバージョンは、少なくとも２．５オクターブの範囲の、例えばＦ３からＢｂ５までの多くの管からできていることができ、正確に調律されたピッチであることができる。中空管は、さまざまな材料から形成されることができ、このような材料はこの分野で周知である。
【０００９】
本発明に関して、好ましい物質は、二酸化ケイ素、すなわちシリカであるクオーツである。
【００１０】
管を懸吊し相互連結させるために使用されるストリングはまた、種々の材料から形成されることができる。好ましくは、ストリングは比較的薄く、プラスチックのストリングのタイプのものから形成されることができる。
【００１１】
管は、一連のピンによって支持部材の上に懸吊され、ピンは、対向端部で中空管の両側に位置されている。ピンは、便宜的には、ストリングを受けるための開口を有することができ、言い換えれば、ストリングは、管の端部にある２つの開口、そしてピンを貫通する。ピンは、好ましくは楽器の演奏を邪魔しないように管の上面の下に位置される高さにある。
【００１２】
ピンはフレーム部材に位置され、一方、中空管内の開口は、これらが支持部材のわずかに内側にあるように配置されている。装置は、好ましくは、ストリングがピンに入りそこからピンを出るときにストリングが３０°ないし１１０°の角度を形成するようになっている。特に、ストリングは、８０°ないし９０°の角度を形成し、管がピンに向かって滑るのを防ぎ、管が上下に振動することを可能にし、独特の音を発生させる。また、開口は、支持部材の外側に位置されることができる。
【００１３】
楽器はまた、好ましくは、ストリングに所望のレベルの張力をかけるための１以上の装置を有する。便宜的には、１以上のギターキーが利用されることができる。各ストリングは、ストリングに張力をかけるのに役立つ１つのギターキーを有することができるが、２つのこのようなギターキーが各端部に１つずつ利用されることが好ましい。当然ながら、ストリングに張力をかける任意の装置が利用されることができることが理解される。
【００１４】
楽器は、１つ又は複数のマレットと、１つ又は複数のバチを使用して演奏されることができるし、あるいは、代わって、フィンガータッパーを使用して演奏されてもよい。フィンガータッパーは、奏者の少なくとも１本の指に嵌めるように設計されることができ、バチ又はマレットと同様の外部材料を有する。バチとフィンガータッパーとの両方が、好ましくは、高分子材料から形成される。特に好ましい実施の形態では、高分子材料は、ポリウレタンである。バチやフィンガータッパーの硬度は、管の音の本質的な違いを生ずる。好ましくは、高分子材料は、８０Ａないし９０Ａのショーア硬度を有し、さらに好ましくは、約８５Ａのショーア硬度を有する。
【００１５】
あるいは、楽器は、湿らせた手のひらや指を使用して演奏されてもよい。
【００１６】
楽器は、テーブルの上に、スタンドに垂直に置かれて演奏されることができ、若しくは、好ましくは、奏者の腕の中に保持されながら演奏されることができる。この最後の形態は、楽器を演奏しながら自由に移動することを可能にする。
【００１７】
楽器が十分な期間の間鳴り響くので、これは興味深い演奏方法をもたらすことができる。例えば、楽器は、演奏中に移動されてもよく、若しくは、奏者は、演奏中にドップラー効果を利用するために移動することができる。
【００１８】
管の端部の開口は、好ましくは、管の全長の約２２．４％の長さのところに位置される。この距離は、最も美しい響きを提供する。
【００１９】
本発明が、その実施の形態を示す添付図面を参照して概略的に説明される。
【図面の簡単な説明】
【００２０】
【図１】図１は、本発明の実施の形態による打楽器の平面図である。
【図２】図２は、打楽器の側面視である。
【図３】図３は、打楽器の斜視図である。
【図４】図４は、図２の参照符号Ａで示される部分の詳細図である。
【図５】図５は、楽器の演奏のために使用されるバチの端部の正面図である。
【図６】図６は、打楽器の断面図である。
【図７】図７は、楽器を演奏するためのフィンガータッパーの正面図である。
【図８】図８は、フィンガータッパーの断面図である。
【図９】図９は、参照符号Ｂによって示されるフィンガータッパーの側面の拡大部分である。
【図１０】図１０は、打楽器のさらなる実施の形態の斜視図である。
【発明を実施するための形態】
【００２１】
より詳細な図面及びそれの参照符号を参照すると、参照符号１０によって打楽器が概して図示される。
【００２２】
打楽器１０は、第１の支持部材１２と、第２の支持部材１４とを有する。それの一端部にある第１の支持部材１０と第２の支持部材１４とを第１の横断部材１６が相互連結している。第２の横断部材１８は、それの他端部にある第１の支持部材１２と第２の支持部材１４とを相互連結している。見られるように、第１の支持部材１２と第２の支持部材１４とは、以下で明白になる理由により互いに対して角度をなしている。
【００２３】
打楽器１０は、第１の支持部材１２及び第２の支持部材１４を横切って延びている複数の中空管２０を有する。中空管２０は、各管についてほぼ同量が第１の支持部材１２及び第２の支持部材１４の外側に延びているように長さを変える。
【００２４】
中空管２０の各々は、第１の端部２２と、第２の端部２４とを有する。第１の支持部材１２及び第２の支持部材１４の位置の近くの各中空管内には、第１の開口２６及び第２の開口２８が形成されている。第１の開口２６及び第２の開口２８は、好ましくは、正反対に位置されている。第１の開口２６及び第２の開口２８がほぼ正反対であり、第１の支持部材１２及び第２の支持部材１４のわずかに内側に位置されていることもまた留意される。
【００２５】
複数のピン３０は、第１の支持部材１２及び第２の支持部材１４に設けられている。好ましくは、第１の支持部材１２及び第２の支持部材１４の端部の近くに位置されたピンに沿って中空管２０の各々の中間に位置された１つのピンがあるように構成されている。各ピン３０は、好ましくは、それの上側端部の近くに位置された開口３２を有する。
【００２６】
打楽器１０は、第１のストリング３４と、第２のストリング３６とを有する。第１のストリング３４は、第１の支持部材１２に沿って延び、ピン３０の開口３２、及び中空管２０の第１の開口２６及び第２の開口２８を貫通する。第２のストリング３６は、第２の支持部材１４に隣接して同様に延びているようにして配置されている。
【００２７】
第１の支持部材１２及び第２の支持部材１４の各端部に隣接して、テンション装置３８、４０、４２、４４が位置されている。好ましくは、テンション装置３８、４０、４２、４４はギターキー構造であるが、任意の適切なテンション装置が利用されることができることが理解される。同様に、各ストリングは、一端部のみにこのようなテンション装置を有し、他端部は固定可能に取り付けられることができる。
【００２８】
図４に示されるように、中空管２０は、叩かれたとき、振動ライン４６によって示されるように振動するように構成されている。同様に、ストリング３４もまた、振動ライン４８によって示されるように振動する。本質的には、各管は、第１及び第２のストリング３４、３６の張力によってわずかに上下に移動することができる。
【００２９】
管２０とピン開口３２との間に延びているストリング部分５０と、管２０とピン開口３２の間に同様に延びている第２のストリング部分５２とは、好ましくは、互いに対して８０°ないし９０°の角度を形成している。
【００３０】
図５並びに図６を参照すると、バチの端部が図示され、この端部が参照符号５６で概して示される。木又はアクリル樹脂などの適切な材料のシャフトが、バチ端部５６に形成された凹部６２内に嵌合するように設計されている。見られることができるように、バチ端部５６はまた、第１の円筒状部分６０と、管を叩く拡大した端部部分６４とを有する。
【００３１】
図８並びに図９に示されるように、参照符号６６で概して示されるフィンガータッパーが設けられている。フィンガータッパー６６は、ユーザの指を受けるための凹部６８を有する。また、幾分拡大した端部７０がある。見られることができるように、小さな凹部７２は、フィンガータッパー６６の下側部分に形成されることができる。所望であれば、同様の構成がバチ端部５６で利用されることができる。
【００３２】
バチ端部５６及びフィンガータッパー６６の両方が適切な材料から形成されることができ、そのうちの１つは、代表的には８０Ａないし９０Ａのショーア硬度を有するポリウレタンである。好ましいショーア硬度は、約８５Ａである。
【００３３】
本発明のさらなる実施の形態が図１０を参照して示され、それがここに参照される。
【００３４】
図１０の実施の形態は、既に説明された実施の形態と同様であり、従って、１００番台の参照符号は、同様の構成要素に対して利用される。
【００３５】
打楽器１１０は、第１の支持部材１１２と、第２の支持部材１１４とを有する。２つの支持部材を相互連結しているのが横断部材１１８である。しかしながら、図面に見られることができるように、横断部材１１８及び支持部材１１２、１１４は、単一のＵ字形フレームとして形成されている。
【００３６】
複数の中空管１２０が、支持部材１１２及び１１４を横切って延びている。中空管１２０の各々は、中空管１２０の端部の開口及びピン１３０の開口を貫通する第１のストリング１３４及び第２のストリング１３６によって支持されている。
【００３７】
この例では、第１及び第２のギターキー１３８、１４２のみが設けられている。
【００３８】
既に説明された実施の形態でのように、中空管１２０は、支持部材１１２、１１４の上に懸吊され、自由に振動することができるように構成されている。
本出願の出願当初の特許請求の範囲に記載された発明を以下に付記する。
［１］第１及び第２の支持部材（１２、１４）を具備し、前記第１及び第２の支持部材は、相互連結され、複数の中空管（２０）を具備し、前記管の全ては、平行であり、前記管の全てが、両端（２２、２４）の近くに１対の開口（２６、２８）を有し、第１及び第２のストリング（３４、３６）を具備し、前記第１のストリング（３４）は、前記管の第１の端部にある前記開口（２６、２８）を通って延び、前記第２のストリング（３６）は、前記管の第２の端部にある前記開口（２６、２８）を通って延び、前記中空管（２０）の中間において前記第１及び第２の支持部材（１２、１４）の各々に位置された複数のピン（３０）を具備し、前記第１及び第２のストリング（３４、３６）は、前記複数のピン（３０）によって支持され、前記中空管（２０）は、前記第１及び第２のストリング（３４、３６）によって前記支持部材の上に懸吊されるように構成されている打楽器（１０）。
［２］前記管（２０）の前記開口（２６、２８）は、前記支持部材（１２、１４）の内側に、又は外側に位置されている［１］の打楽器。
［３］前記ストリング（３４、３６）を張ったり緩めたりするための少なくとも１つの部材（３８）をさらに具備する［２］の打楽器。
［４］前記ストリングを張ったり緩めたりするための前記部材は、ギターキー（３８）を有する［３］の打楽器。
［５］各ストリングは、それぞれのストリングを張ったり緩めたりするための個別のギターキーを有する［４］の打楽器。
［６］各ストリング（３４、３６）は、その両端に位置されたギターキー（３８、４０、４２、４４）を有する［５］の打楽器。
［７］前記開口及び前記ピンは、前記ストリング（３４、３６）がそれぞれのピン（３０）で３０°ないし１１０°の角度を形成するように位置されている［２］の打楽器。
［８］前記ストリング（３４、３６）は、８０°ないし９０°の角度を形成している［７］の打楽器。
［９］前記第１及び第２の支持部材（１２，１４）を相互連結する第１及び第２の横断部材（１６、１８）を有する［２］の打楽器。
［１０］前記支持部材（１２、１４）のそれぞれの端部に位置され、それぞれの端部に接続された第１及び第２の横断部材（１６、１８）をさらに具備し、前記中空管（２０）は、前記第１及び第２の横断部材（１６、１８）の中間に位置されている［２］の打楽器。
［１１］前記管（２０）は、前記支持部材（１２、１４）に向かうように、及び前記支持部材（１２，１４）から離れるように移動可能である［２］の打楽器。
［１２］前記複数のピン（３０）の各々が、その中に開口（３２）を有し、前記ストリングは、前記ピンの前記開口を貫通する［２］の打楽器。
［１３］前記ストリング（３４、３６）は、プラスチックのストリングから形成されている［２］の打楽器。
［１４］前記中空管（２０）は、二酸化ケイ素材料から形成されている［２］の打楽器。
［１５］第１及び第２の支持部材（１２、１４）を具備し、前記第１及び第２の支持部材は、相互連結され、複数の中空管（２０）を具備し、前記管の全ては、平行であり、前記管の全てが、両端（２２、２４）の近くに１対の開口（２６、２８）を有し、第１及び第２のストリング（３４、３６）を具備し、前記第１のストリング（３４）は、前記管の第１の端部にある前記開口（２６、２８）を通って延び、前記第２のストリング（３６）は、前記管の第２の端部にある前記開口（２６、２８）を通って延び、前記中空管（２０）の中間において前記第１及び第２の支持部材（１２、１４）の各々に位置された複数のピン（３０）を具備し、前記第１及び第２のストリング（３４、３６）は、前記複数のピン（３０）によって支持され、前記中空管（２０）は、前記第１及び第２のストリング（３４、３６）によって前記支持部材の上に懸吊されるように構成され、前記管を叩くための少なくとも１つの器具を具備する、打楽器（１０）の組合せ。
［１６］前記器具は、手持ちバチ（５６）であり、前記手持ちバチ（５６）は、拡大したバチ端部（６４）を有する［１５］の組合せ。
［１７］前記手持ちバチ（５６）は、８０Ａと９０Ａとの間のショーア硬度を有する高分子材料から形成されている［１６］の組合せ。
［１８］前記材料は、約８５Ａのショーア硬度を有するポリウレタンである［１７］の組合せ。
［１９］前記管を叩くための前記器具は、少なくとも１つのフィンガータッパー（６６）を有し、前記フィンガータッパーは、高分子材料から形成され、前記フィンガータッパーは、ユーザの指を受けるための凹部（６８）を有する［１５］の組合せ。
［２０］第１及び第２の支持部材（１２、１４）を具備し、前記第１及び第２の支持部材は、相互連結され、少なくとも１つの中空管（２０）を具備し、前記中空管は、両端（２２、２４）の近くに１対の開口（２６、２８）を有し、第１及び第２のストリング（３４、３６）を具備し、前記第１のストリング（３４）は、前記管の第１の端部にある前記開口（２６、２８）を通って延び、前記第２のストリング（３６）は、前記管の第２の端部にある前記開口（２６、２８）を通って延び、前記中空管（２０）の中間において前記第１及び第２の支持部材（１２、１４）の各々に位置された複数のピン（３０）を具備し、前記第１及び第２のストリング（３４、３６）は、前記複数のピン（３０）によって支持され、前記中空管（２０）は、前記第１及び第２のストリング（３４、３６）によって前記支持部材の上に懸吊されるように構成されている打楽器（１０）。
【図１】
0006309457.tif 000002
【図２】
0006309457.tif 000003
【図３】
0006309457.tif 000004
【図４】
0006309457.tif 000005
【図５】
0006309457.tif 000006
【図６】
0006309457.tif 000007
【図７】
0006309457.tif 000008
【図８】
0006309457.tif 000009
【図９】
0006309457.tif 000010
【図１０】
0006309457.tif 000011